(57)【要約】【課題】  レンズ付きフイルムユニットと、このレンズ付きフイルムユニットに着脱自在に装着可能な外付けストロボユニットとを低価格で提供する。【解決手段】  外付けストロボユニット３０の左側面には、操作部材３４の移動操作に連動して移動する連動部材４０ａの一部が露呈されている。また、レンズ付きフイルムユニット１０の右側面には、連動部材２１ａの一部が露呈されている。外付けストロボユニット３０がレンズ付きフイルムユニット１０に装着された時に、連動部材４０ａと連動部材２１ａが隣接し、操作部材３４の移動操作により所定の撮影モードに切り替えられた時に、連動部材２１ａが連動部材４０ａに押圧されて移動する。この連動部材２１ａの移動により、レンズ付きフイルムユニット１０の動作が所定の撮影モードに変更される。【選択図】        図１
2005099383.tif 000002
【特許請求の範囲】
【請求項１】
レンズ付きフイルムユニットと、このレンズ付きフイルムユニットに着脱自在に装着される外付けストロボユニットにおいて、
前記外付けストロボユニットは、複数の操作位置との間で移動操作されることにより、撮影モードの切替えを行う操作部材と、前記操作部材の操作に連動して移動する第１連動部材とを備え、
前記レンズ付きフイルムユニットは、前記外付けストロボユニットが装着された時に前記第１連動部材と隣接し、前記操作部材の移動操作により所定の撮影モードに切り替えられた時に、前記第１連動部材と係合し、前記第１連動部材の動きに従動する第２連動部材を備え、
前記第２連動部材の移動により、前記レンズ付きフイルムユニットの動作が前記所定の撮影モードに変更されることを特徴とするレンズ付きフイルムユニット及び外付けストロボユニット。
【請求項２】
前記レンズ付きフイルムユニットは、絞りを大絞りと小絞りとの間で切替えを行う絞り切替機構を備え、前記外付けストロボユニットは、前記操作部材の操作に連動して、ストロボ光量を変更するストロボ光量変更手段を有することを特徴とする請求項１記載のレンズ付きフイルムユニット及び外付けストロボユニット。
【請求項３】
前記ストロボ光量変更手段は、前記操作部材に連動して、ストロボ発光部の前面を覆い、ストロボ光量を減光する減光位置と、ストロボ発光部の前面から待避してストロボ光量を変更しない待避位置との間で移動する減光板であることを特徴とする請求項２記載の外付けストロボユニット。
【請求項４】
前記レンズ付きフイルムユニットに前記外付けストロボユニットが装着され、前記操作部材を移動操作することにより、夜景撮影モードが選択された時に、前記ストロボ光量変更手段によりストロボ発光量が低減され、前記第２連動部材の移動により、前記絞り切替機構の絞りが前記小絞りから前記大絞りに切替えられることを特徴する請求項１ないし３のいずれか記載のレンズ付きフイルムユニット及び外付けストロボユニット。
【請求項５】
前記外付けストロボユニットが前記レンズ付きフイルムユニットに装着された時に、前記レンズ付きフイルムユニットと前記外付けストロボユニットとの相対移動を防止して固定するロック位置と、前記レンズ付きフイルムユニットと前記外付けストロボユニットとの相対移動を可能にする解除位置との間で移動自在にされたロック操作部材を、前記レンズ付きフイルムユニットまたは前記外付けストロボユニットのいずれか一方に設けたことを特徴とする請求項１ないし４のいずれか記載のレンズ付きフイルムユニット及び外付けストロボユニット。
【請求項６】
前記ロック操作部材が前記ロック位置に操作された場合、前記レンズ付きフイルムユニットに設けられたシンクロスイッチの接点と、前記外付けストロボユニット内のストロボ回路に設けられた接片とが当接して、前記シンクロスイッチと前記ストロボ回路が電気的に接続され、前記解除位置に操作された場合、前記接点と前記接片とが当接しない待避位置に移動することを特徴とする請求項５記載のレンズ付きストロボユニット及び外付けストロボユニット。
【請求項７】
前記シンクロスイッチの接点は、前記レンズ付きフイルムユニットのフイルム室の上方に設けられていることを特徴とする請求項６記載のレンズ付きフイルムユニット。
【請求項８】
前記ストロボ回路は、前記シンクロスイッチの動作に連動して、電気的なスイッチング回路を作動させ、前記スイッチング回路の動作によりストロボ光を発光させることを特徴とする請求項６または７記載の外付けストロボユニット。
【請求項９】
前記外付けストロボユニットの外装面に、前記ストロボ回路の充電が完了した時に発光素子から発光される光を外部に導く導出窓を設け、
前記レンズ付きフイルムユニットの外装面に、前記外付けストロボユニットが前記レンズ付きフイルムユニットに装着された時に、前記導出窓と対面して前記導出窓から放出された光を前記レンズ付きフイルムユニット内に導く導光窓を設けたことを特徴とする請求項１ないし８のいずれか記載のレンズ付きフイルムユニット及び外付けストロボユニット。
【請求項１０】
前記導光窓から前記レンズ付きフイルムユニット内に入射した前記光を前記レンズ付きフイルムユニットの上面、またはファインダレンズ周辺に導くライトガイドを設けたことを特徴とする請求項９記載のレンズ付きフイルムユニット。
【請求項１１】
前記レンズ付きフイルムユニットは、本体カバーと、裏蓋と、各種撮影機構が組み込まれた本体基部とを備えて構成されていることを特徴とする請求項１ないし１０のいずれか記載のレンズ付きフイルムユニット。
【発明の詳細な説明】
【技術分野】
【０００１】
本発明は、レンズ付きフィルムユニットと、このレンズ付きフイルムユニットに着脱自在に装着される外付けストロボユニットに関するものである。
【背景技術】
【０００２】
現在市販されているレンズ付きフイルムユニットの多くは、ストロボ機能を内蔵しているため、日中に限らず夜間でも使用することが可能にされている。このような、レンズ付フイルムユニットは、フイルムユニット本体にストロボスイッチを有し、スイッチの切替え操作に連動して、ストロボのＯＮ／ＯＦＦが選択可能になっている。また、近年、ストロボＯＮの状態で、撮影レンズのＦナンバー（絞り値）を明るくすると共に、ストロボ装置のガイドナンバーを低くすることで適正露光を確保して、背景描写を改善した、いわゆる夜景モードを搭載したものが知られており（例えば、特許文献１参照）、市販もされている。
【０００３】
【特許文献１】特願２００２−２４２５７２号公報
【発明の開示】
【発明が解決しようとする課題】
【０００４】
しかしながら、上記特許文献１に記載のストロボ機能内蔵のレンズ付きフイルムユニットでは、フイルムユニット本体にストロボ機能を内蔵しているため、本体サイズが大きく嵩張るため、旅行等で複数個携行する場合には適さない。また、ストロボ装置をフイルムユニット本体毎に設けているため、価格が高くなるという問題があった。
【０００５】
また、ストロボ装置がフイルムユニット本体と一体になっているため、光密性の確保が必要なため単独での電池交換ができない。このため、ストロボスイッチの切り忘れなどによる電池消耗時に電池交換ができず、電池がなくなってしまった場合は、ストロボなしで撮影を行わなくてはいけないという問題があった。
【０００６】
このような問題を解決するために、銀塩カメラ等で使用されている外付けストロボユニットをレンズ付きフイルムユニットに適用することも考えられる。このような外付けストロボユニットは、装着されたときにカメラ本体と電気的に接続され、ストロボユニット側の操作、例えば、ストロボのＯＮ／ＯＦＦの切替え、撮影モードの切り替え等の操作が、電子信号に変換されてカメラ本体に送信される。カメラ本体は、取得した電子信号に基づいて各撮影機構の動作を制御している。このため、このようなストロボユニットをレンズ付きフイルムユニットに適用すると、レンズ付きフイルムユニット、及び外付けフイルムユニットの内部に電子回路部品等の高価な部品を搭載する必要がある。このため、製造コストが高くなり、安価なことが特長のレンズ付きフイルムユニットには適さない。
【０００７】
本発明は上記事情に鑑みてなされたものであり、レンズ付きフイルムユニットと、このレンズ付きフイルムユニットに着脱自在に装着される外付けストロボユニットとを低価格で提供することを目的とする。
【課題を解決するための手段】
【０００８】
上記課題を解決するために、本発明のレンズ付きフイルムユニット、及び外付けストロボユニットは、レンズ付きフイルムユニットと、このレンズ付きフイルムユニットに着脱自在に装着される外付けストロボユニットであって、前記外付けストロボユニットは、複数の操作位置との間で移動操作されることにより、撮影モードの切替えを行う操作部材と、前記操作部材の操作に連動して移動する第１連動部材とを備え、前記レンズ付きフイルムユニットは、前記外付けストロボユニットが装着された時に前記第１連動部材と隣接し、前記操作部材の移動操作により所定の撮影モードに切り替えられた時に、前記第１連動部材と係合し、前記第１連動部材の動きに従動する第２連動部材を備え、前記第２連動部材の移動により、前記レンズ付きフイルムユニットの動作が前記所定の撮影モードに変更されることを特徴とするものである。
【０００９】
また、前記レンズ付きフイルムユニットは、絞りを大絞りと小絞りとの間で切替えを行う絞り切替機構を備え、前記外付けストロボユニットは、前記操作部材の操作に連動して、ストロボ光量を変更するストロボ光量変更手段を有することが好ましい。
【００１０】
前記ストロボ光量変更手段は、前記操作部材に連動して、ストロボ発光部の前面を覆い、ストロボ光量を減光する減光位置と、ストロボ発光部の前面から待避してストロボ光量を変更しない待避位置との間で移動する減光板であることが好ましい。
【００１１】
前記レンズ付きフイルムユニットに前記外付けストロボユニットが装着され、前記操作部材を移動操作することにより、夜景撮影モードが選択された時に、前記ストロボ光量変更手段によりストロボ発光量が低減され、前記第２連動部材の移動により、前記絞り切替機構の絞りが前記小絞りから前記大絞りに切替えられることを特徴するものである。
【００１２】
前記外付けストロボユニットが前記レンズ付きフイルムユニットに装着された時に、前記レンズ付きフイルムユニットと前記外付けストロボユニットとの相対移動を防止して固定するロック位置と、前記レンズ付きフイルムユニットと前記外付けストロボユニットとの相対移動を可能にする解除位置との間で移動自在にされたロック操作部材を、前記レンズ付きフイルムユニットまたは前記外付けストロボユニットのいずれか一方に設けたことを特徴とするものである。
【００１３】
前記ロック操作部材が前記ロック位置に操作された場合、前記レンズ付きフイルムユニットに設けられたシンクロスイッチの接点と、前記外付けストロボユニット内のストロボ回路に設けられた接片とが当接して、前記シンクロスイッチと前記ストロボ回路が電気的に接続され、前記解除位置に操作された場合、前記接点と前記接片とが当接しない待避位置に移動することを特徴とするものである。
【００１４】
前記シンクロスイッチの接点は、前記レンズ付きフイルムユニットのフイルム室の上方に設けられていることが好ましい。
【００１５】
前記ストロボ回路は、前記シンクロスイッチの動作に連動して、電気的なスイッチング回路を作動させ、前記スイッチング回路の動作によりストロボ光を発光させることを特徴とするものである。
【００１６】
前記外付けストロボユニットの外装面に、前記ストロボ回路の充電が完了した時に発光素子から発光される光を外部に導く導出窓を設け、前記レンズ付きフイルムユニットの外装面に、前記外付けストロボユニットが前記レンズ付きフイルムユニットに装着された時に、前記導出窓と対面して前記導出窓から放出された光を前記レンズ付きフイルムユニット内に導く導光窓を設けたことを特徴とするものである。
【００１７】
前記導光窓から前記レンズ付きフイルムユニット内に入射した前記光を前記レンズ付きフイルムユニットの上面、またはファインダレンズ周辺に導くライトガイドをレンズ付きフイルムユニットに設けることが好ましい。
【００１８】
前記レンズ付きフイルムユニットは、本体カバーと、裏蓋と、各種撮影機構が組み込まれた本体基部とを備えて構成されていることが好ましい。
【発明の効果】
【００１９】
本発明のレンズ付きフイルムユニット、及び外付けストロボユニットによれば、ストロボユニット側の操作、つまり、ストロボの電源ＯＮ／ＯＦＦの切替え操作、撮影モード選択の操作が、第１連動部材及び第２連動部材を介して、レンズ付きフイルムユニット側に機械的に伝達されて、レンズ付きフイルムユニットの動き、つまり、シャッタ速度の切替え、絞りの切替え等が行われる。このため、高価な電子回路部品等を用いて、ストロボユニット側の操作がレンズ付きフイルムユニット側に電子信号で伝達されるように構成した場合と比較して、低価格で製造することができる。
【００２０】
フイルムユニット本体と、外付けストロボユニットとを着脱自在に取り付け可能となり、さらに、ロック機構により落下や振動に対する強度が確保されている。このため、撮影者は１個の外付けストロボユニットを保有することにより、複数のレンズ付きフイルムユニットで繰り返し使用することができる。このため、フイルムユニット本体にストロボ機能を内蔵させた場合と比較して、フイルムユニット本体の製造コストを低減することができる。
【００２１】
、また、フイルムユニット本体の重量や体積を低減することが可能であるため、旅行などでの携行性を改善することができる。さらに、外付けストロボユニットは、フイルムユニット本体と別体にされているため、ストロボユニットを光密にする必要がない。このため、電池交換用の蓋をストロボユニットに設けることが可能であり、電池を交換することにより繰り返しストロボユニットを使用することができるので経済的である。
【００２２】
また、ストロボ装置の有無による製造工程の区別がなくなるので、工程や管理の簡略化が可能である。さらに、レンズ付きフイルムユニットの主要部品の中で最も高価な部品であるストロボユニットを分離することで、詰め替えカメラの製造や、ストロボユニットの部品取りを目的とする使用済みレンズ付きフイルムユニットの不正買取を防止することができる。
【発明を実施するための最良の形態】
【００２３】
図１は、本発明のレンズ付きフイルムユニット、及び外付けストロボユニットの外観形状を示す外観斜視図である。レンズ付きフイルムユニット１０は、ユニット本体１１と、このユニット本体１１の製造時に装填されたフイルムパトローネと、ユニット本体１１の外周に巻き付けられるようにして貼付されるラベル１２とから構成されている。このラベル１２には、ユニット本体１１の各部を露呈させるための開口が形成されている。また、ユニット本体１１は、本体カバー３と、裏蓋４と、各種撮影機構が組み込まれた本体基部とで構成されている。
【００２４】
ユニット本体１１の前面には、撮影レンズ１３、ファインダ対物窓１４等が設けられている。また、上面には、シャッタボタン１５、カウンタ表示窓１６、シグナル用開口１７、後述するロック操作部材用の操作溝１８等が設けられている。さらに、背面からは、撮影後のフイルム巻上げに用いられる巻上げノブ１９の一部が露呈されている。
【００２５】
また、ユニット本体１１の右側面には、後述する外付けストロボユニット３０をユニット本体１１に固定するための係合突起２０、開口２１、開口２１から一部が露呈され、後述する操作部材に連動して移動する連動部材２１ａ、ストロボの準備が完了した時に外付けストロボユニット３０側から導出された光をユニット本体１１内に導く導光窓２２、シンクロスイッチの接点用の開口２３ａ，２３ｂ等が設けられている。また、後述するように、ユニット本体１１は、シャッタ速度の切替えを行うシャッタ速度切替機構と、大絞りと小絞りとの間で絞りを切替える絞り切替機構が設けられている。
【００２６】
次に、外付けストロボユニット３０について説明を行う。外付けストロボユニット３０の前面には、ストロボ光を被写体に向けて放射するストロボ発光部３１、撮影モード切替時に操作される撮影モード選択部３２等が設けられている。撮影モード選択部３２は、操作開口３３と、この操作開口３３内で移動自在とされた略小判形状の操作部材３４とで構成されている。操作部材３４は、操作開口３３内で下方に位置する第１操作位置（図２に示す位置）と、第１操作位置から上方に向けてスライドされた第２操作位置（図３に示す位置）と、第２操作位置から図中時計方向に回動される第３操作位置（図４に示す位置）との間で移動自在とされている。なお、操作部材３４が第１操作位置にセットされている場合、外付けストロボユニット３０内のストロボ回路はＯＦＦにされ、第２及び第３操作位置にセットされている場合、ストロボ回路はＯＮにされる。
【００２７】
また、外付けストロボユニット３０の上面には、操作溝３６、ロック操作部材３７が設けられている。ロック操作部材３７は、操作溝１８，３６で形成されたスペース内で移動自在にされている。また、操作溝３６の底面には、開口３６ａが形成されている。ロック操作部材３７は、図１に示す解除位置と、図２に示すロック位置との間で移動操作される。
【００２８】
さらに、外付けストロボユニット３０の左側面には、ユニット本体１１に設けられた係合突起２０と係合する係合溝３９と、開口４０と、開口４０から一部が露呈され、操作部材３４の移動に連動して移動する連動部材４０ａ、ストロボの準備が完了した時に外付けストロボユニット３０内で発光された光を導出させる導出窓４１と、シンクロスイッチの接片用の開口４２ａ，４２ｂ等が設けられている。
【００２９】
また、外付けストロボユニット３０の下端部には、電池蓋４３が設けられている。この電池蓋４３を開放することにより電池交換が可能である。このため、電池を交換することにより繰り返し外付けストロボユニット３０を使用することができるので経済的である。      
【００３０】
外付けストロボユニット３０をレンズ付きフイルムユニット１０に装着する際は、ユニット本体１１の係合突起２０の下端と、外付けストロボユニット３０の係合溝３９の上端を係合させ、外付けストロボユニット３０を上方にスライドさせて、ユニット本体１１の上面と外付けストロボユニット３０の上面との位置を一致させて装着される。その後、ロック操作部材３７を図１に示す解除位置から図２に示すロック位置に移動させる。これにより、ロック操作部材３７がユニット本体１１側の操作溝１８の底面と当接するので、外付けストロボユニット３０が下方に向かって移動することが防止される。このため、落下や振動によって、外付けストロボユニット３０がユニット本体１１から落下することが防止される。
【００３１】
また、図２に示すように、外付けストロボユニット３０がユニット本体１１に装着されている場合、導出窓４１と導光窓２２とが対面する位置となる。このため、ストロボの準備が完了した時に外付けストロボユニット３０内で発光された光が、導出窓４１を介して放出され、この光が導光窓２２を介してユニット本体１１内に導かれる。
【００３２】
また、外付けストロボユニット３０の内部には、図５に示すストロボ回路５０が基板上に形成されて組み込まれている。このストロボ回路５０は、周知のストロボ回路であり、電源５１と、発振回路５２と、昇圧回路５３と、ストロボ発光部３１内に配置されるキセノン放電管５４と、スイッチング回路５５とを備えて構成されている。このストロボ回路５０には、ユニット本体１１内に設けられたシンクロスイッチ６０に設けられた接点６１ａ，６１ｂと電気的に接続される接片５６ａ，５６ｂが設けられている。また、スイッチング回路５５は、接片５６ａ，５６ｂ側の低電圧のスイッチ動作で高電圧側のスイッチを行っている。
【００３３】
図６に示すように、この接片５６ａ，５６ｂは、外付けストロボユニット３０の左側面に設けられた開口４２ａ，４２ｂの奥に配置されている。接片５６ａは、金属製の板を湾曲させたものである。ロック操作部材３７の下面には、下方に突出する突出板３７ａが設けられている。接片５６ａの一端は、この突出板３７ａに固定され、他端は、ストロボ回路５０が形成された基板５８に当接している。また、ユニット本体１１側の基板６３には、接点６１ａが設けられており、開口２３ａの奥に配置されている。
【００３４】
ロック操作部材３７が、図６（Ａ）に示す位置から図６（Ｂ）に示す位置に移動されると、接片５６ａが基板５８と摺接しながら移動して、開口４２ａ、及び開口２３ａを挿通してユニット本体１１側の接点６１ａと当接する。これにより、接片５６ａと接点６１ａとが電気的に接続される。また、図示しないが、接片５６ｂは、接片５６ａと同様に一端が突出板３７ａに取り付けられ、他端が基板５８と当接するように配置されている。接点６１ｂは、接点６１ａと同様に、基板６３に設けられており、開口２３ｂの奥に配置されており、接片５６ｂ、及び接点６１ｂは、接片５６ａ、及び接点６１ａと同様に作用する。
【００３５】
接片５６ａ，５６ｂは、ストロボ回路５０内のメインコンデンサと接続されるので、接片５６ａ，５６ｂの両端には高電圧がかかっている。しかし、前述のように、ロック操作部材３７と連動して、外付けストロボユニット３０側の接片５６ａ，５６ｂが、開口４２ａ，４２ｂから突出して、開口２３ａ，２３ｂの奥に配置された接点６１ａ，６１ｂと当接して電気的に接続される。つまり、外付けストロボユニット３０をユニット本体１１に装着していない時には、ロック操作部材３７が図６（Ａ）に示す解除位置にあり、接片５６ａ，５６ｂが外付けストロボユニット３０の内部に収容されているので、誤って接片５６ａ，５６ｂに接触して感電することが防止されている。また、図５に示すように、接片５６ａ，５６ｂ側の低電圧のスイッチ動作で高電圧側のスイッチを行うスイッチング回路を用いているので、さらに高い安全性を確保することができる。
【００３６】
また、図２に示すように、外付けストロボユニット３０がユニット本体１１に装着された時に、外付けストロボユニット３０に設けられた連動部材４０ａが、ユニット本体１１の開口２１を介してユニット本体１１内に挿通される。外付けストロボユニット３０に設けられた連動部材４０ａと、ユニット本体１１に設けられた連動部材２１ａとにより、ユニット本体１１内のシャッタ速度切替機構及び絞り切替機構の切替えが行われる。
【００３７】
ユニット本体１１に設けられた連動部材２１ａは、シャッタ速度切替機構及び絞り切替機構の一部を構成している。以下に、シャッタ速度切替機構及び絞り切替機構について説明を行う。シャッタ速度切替機構及び絞り切替機構は、本出願人により出願されている特願２００２−２４２５７２に記載されている周知の機構である。シャッタ切替機構及び絞り切替機構は、切替リング７０、シャッタ速度切替レバー７１、小絞り開口７２ａが形成された絞り切替板７２、シンクロスイッチ６０、切替板７３等で構成されている。切替リング７０は、付勢バネ７４によって時計方向に付勢されており、連動部材２１ａは、この切替リング７０の右側部に、右方に向かって突出するように一体に形成されている。また、連動部材４０ａは、操作部材３４が一体に形成された切替板７３の下端部に、左方に向かって突出するように一体に形成されている。
【００３８】
操作部材３４が、図７（Ａ）に示す第１操作位置にセットされている場合、第１連動部材である連動部材４０ａは、第２連動部材である連動部材２１ａの下方にあり、連動部材４０ａにより連動部材２１ａが押圧されることはない。このため、切替リング７０は回転しないので、シャッタ速度切替レバー７１、絞り切替板７２は移動せず、シャッタ速度切替えレバー７１は高速シャッタ位置、絞り切替板７２は小絞り位置にある。また、操作部材２４が第１操作位置にセットされている場合、外付けストロボユニット３０のストロボ回路５０はＯＦＦにされている。このため、第１操作位置では、ストロボＯＦＦ、高速シャッタ、小絞りに設定されて、日中撮影モード（第１撮影モード）となる。
【００３９】
操作部材３４が、図７（Ｂ）に示す第２操作位置にある場合、第１操作位置の場合と同様に、連動部材４０ａは、連動部材２１ａの下方にあり、連動部材４０ａにより連動部材２１ａが押圧されることはない。このため、切替リング７０は回転しないので、シャッタ速度切替レバー７１、絞り切替板７２は移動さず、シャッタ速度切替えレバー７１は高速シャッタ位置、絞り切替板７２は小絞り位置にある。また、操作部材３４が第２操作位置にセットされている場合、外付けストロボユニット３０のストロボ回路５０はＯＮにされている。このため、第２操作位置では、ストロボＯＮ、高速シャッタ、小絞りに設定されて、日中シンクロ撮影モード（第２撮影モード）となる。
【００４０】
この第２撮影モードでは、連動部材２１ａの動きに連動して、ユニット本体１１の上面に設けられたシグナル用開口１７からシグナル部材８０が突出される。シグナル部材８０は、ライトガイドであり、ストロボ充電完了時に発光する発光素子の光が、導出窓４１及び導光窓２２を介してユニット本体１１内に入射し、このシグナル部材８０によりユニット本体１１外にガイドされて撮影者にストロボの準備が完了したことを知らせる。
【００４１】
また、操作部材３４が、図７（Ｂ）に示す第２切替位置から時計方向に回転操作され、図７（Ｃ）に示す第３切替位置に切替えられた場合、連動部材４０ａが連動部材２１ａと当接して、連動部材４０ａが連動部材２１ａを押圧する。このため、切替リング７０は、付勢ばね７４の付勢に抗して反時計方向に回転して、図７（Ｃ）に示す位置に移動する。この切替リング７０の回転により、シャッタ速度切替えレバー７１、及び絞り切替板７２が、図７（Ｃ）に示す位置に移動する。このため、シャッタ速度切替えレバー７１は、低速シャッタ位置に移動し、絞り切替板７２は、大絞り開口７５を露呈する待避位置に移動する。
【００４２】
また、操作部材３４が第３操作位置にある場合、外付けストロボユニット３０のストロボ回路５０はＯＮにされたままである。このため、第３操作位置では、ストロボＯＮ、低速シャッタ、大絞りに設定されて、夜間シンクロ撮影モード（第３撮影モード）となる。この第３撮影モードでは、連動部材４０ａの動きに連動して、ストロボ発光部３１の前方に減光板８１が移動する。このため、ストロボ光量が減光されて、ガイドナンバーが低くなる。また、連動部材４０ａの動きに連動して、ファインダ対物窓１４の前方に円盤状の指標板８２が移動する。この指標板８２は、撮影時に撮影者により視認されることにより、レンズ付きフイルムユニット１０が第３撮影モードにあることを撮影者に知らせる。また、この第３撮影モードでは、第２撮影モードと同様にシグナル用開口１７からシグナル部材８０が突出されている。
【００４３】
このように、操作部材３４を操作して第１〜第３操作位置に切替えることにより、レンズ付きフイルムユニット１０及び外付けストロボユニット３０の撮影モードの切替えが行われる。なお、第３撮影モードでは、露光量を増加させるためにシャッタ速度を高速から低速にし、さらに、絞りを小絞りから大絞りに変更しているが、シャッタ速度または絞りの少なくとも一方のみを切替えて露光量を調整しても良い。また、第１連動部材である連動部材４０ａが、第２連動部材である連動部材２１ａと当接して、連動部材４０ａが連動部材２１ａを押圧することにより、連動部材２１ａが移動するように説明したが、これに限るものではなく、連動部材２１ａが連動部材４０ａと係合して、連動部材４０ａの動きに連動部材２１ａが従動するように構成すれば良い。例えば、連動部材４０ａが連動部材２１ａを引っ張ることにより移動するように構成しても良い。。
【００４４】
次に、上記構成のレンズ付きフイルムユニット１０及び外付けストロボユニット３０の作用について説明を行う。外付けストロボユニット３０をレンズ付きフイルムユニット１０に装着する時は、係合突起２０の下端部に、係合溝３９の上端部を係合させて外付けストロボユニット３０を上方に向けてスライドさせることにより装着される。
【００４５】
その後、撮影者によりロック操作部材３７が操作されて図２に示すロック位置に移動される。このロック操作部材３７をロック位置に操作されることにより、外付けストロボユニット３０が、落下や振動によりレンズ付きフイルムユニット１０から落下することが防止される。
【００４６】
撮影者は、撮影前に操作部材３４を操作して、第１〜第３操作位置にのいずれかの位置にセットすることにより撮影モードを選択する。操作部材３４が第１操作位置にセットされた場合、日中撮影モード（第１撮影モード）となり、第２操作位置にセットされた場合、日中シンクロ撮影モード（第２撮影モード）となり、第３操作位置にセットされた場合、夜間シンクロ撮影モード（第３撮影モード）となる。
【００４７】
その後、撮影者は、選択した撮影モードで撮影を行う。なお、日中撮影モード（第１撮影モード）で撮影する際はストロボを使用しないので、レンズ付きフイルムユニット１０に外付けストロボユニット３０を装着せずに撮影を行っても良い。
【００４８】
撮影終了後、撮影者はロック操作部材３７を操作して図１に示す解除位置に移動させる。これにより、ロックが解除されるので、外付けストロボユニット３０を下方に向かってスライドすることにより、レンズ付きフイルムユニット１０から外付けストロボユニット３０を取り外すことができる。このように、ストロボを使用して撮影を行う時にのみ、レンズ付きフイルムユニット１０に外付けストロボユニット３０を装着して撮影を行う。このため、撮影者は１個の外付けストロボユニット３０を保有することにより、複数のレンズ付きフイルムユニットで繰り返し使用することができる。
【００４９】
また、ストロボユニット３０側の撮影モード選択の操作、つまり、操作部材３４の操作が、第１連動部材である連動部材４０ａ及び第２連動部材である連動部材２１ａにより、レンズ付きフイルムユニット１０側に機械的に伝達されて、レンズ付きフイルムユニット１０のシャッタ速度の切替え、及び絞りの切替えが行われるので、電子回路部品等を用いてストロボユニット側の操作が、レンズ付きフイルムユニット側に電子信号で伝達されるように構成した場合と比較して、低価格で製造することができる。
【００５０】
また、レンズ付きフイルムユニット１０及び外付けストロボユニット３０を販売する際は、レンズ付きフイルムユニット１０に外付けストロボユニット３０を装着した状態で「ストロボ付きモデル」として販売しても良いし、レンズ付きフイルムユニット１０のみを「ストロボ無しモデル」として販売しても良い。
【００５１】
また、レンズ付きフイルムユニット１０にストロボ機能を内蔵させる必要がないので、ユニット本体の小型化が可能であり、重量や体積が低減されて携行性が改善される。さらに、レンズ付きフイルムユニット１０にストロボ機能を内蔵させた場合と比較して製造コストも低減可能である。
【００５２】
また、外付けストロボユニット３０は、ユニット本体１１と別体にされているため、外付けストロボユニット３０を光密にする必要がない。このため、外付けストロボユニット３０に電池交換用の蓋４３を設けることが可能である。このため、電池を交換することにより繰り返しストロボユニットを使用することができるので経済的である。
【００５３】
さらに、ストロボ装置の有無による製造工程の区別がなくなるので、工程や管理の簡略化が可能である。また、レンズ付きフイルムユニット１０の主要部品の中で最も高価な部品であるストロボ装置を分離することで、詰め替えカメラの製造や、ストロボ装置の部品取りを目的とする使用済みレンズ付きフイルムユニットの不正買取を防止することができる。
【００５４】
なお、レンズ付きフイルムユニットの本体は、絞り値及びフイルムのＩＳＯ感度に応じて、レンズ付きフイルムユニットの本体が必要とする外付けストロボユニットのガイドナンバーが異なる。このような場合、外付けストロボユニットに設けられる係合溝の形状をガイドナンバー毎に変更し、そのガイドナンバーに適合するレンズ付きフイルムユニットに、その係合溝と係合可能な形状にされた係合突起を設けるようにすれば良い。これにより、各レンズ付きフイルムユニットに対応する専用のストロボユニットのみが、レンズ付きフイルムユニットの本体に装着可能にすることができる。
【００５５】
また、本実施形態においては、第３撮影モードに設定された時に、減光板を用いてストロボの発光量を低減させたが、これに限るものではなく、ストロボ回路にて発光量を調整するようにしても良い。
【図面の簡単な説明】
【００５６】
【図１】レンズ付きフイルムユニット及び外付けストロボユニットの外観斜視図である。
【図２】外付けストロボユニットを装着したレンズ付きフイルムユニットの日中撮影モードの状態を示す外観斜視図である。
【図３】外付けストロボユニットを装着したレンズ付きフイルムユニットの日中シンクロ撮影モードの状態を示す外観斜視図である。
【図４】外付けストロボユニットを装着したレンズ付きフイルムユニットの夜間シンクロ撮影モードの状態を示す外観斜視図である。
【図５】ストロボ回路の電気的構成を示すブロック図である。
【図６】ロック操作部材の作用を説明する説明図である。
【図７】連動部材の作用を説明する説明図である。
【符号の説明】
【００５７】
１０  レンズ付きフイルムユニット
１１  ユニット本体
１３  撮影レンズ
１４  ファインダ対物窓
１８，３６  操作溝
２１，２３ａ，２３ｂ，３６ａ，４０，４２ａ，４２ｂ  開口
２１ａ  連動部材
２２  導光窓
３０  外付けストロボユニット
３１  ストロボ発光部
３４  操作部材
３７  ロック操作部材
４０ａ  連動部材
４１  導出窓
４３  電池蓋
５０  ストロボ回路
５５  スイッチング回路
５６ａ，５６ｂ  接片
６０  シンクロスイッチ
６１ａ，６１ｂ  接点
８０  シグナル部材
８１  減光板
８２  指標板
【図１】
2005099383.tif 000003
【図２】
2005099383.tif 000004
【図３】
2005099383.tif 000005
【図４】
2005099383.tif 000006
【図５】
2005099383.tif 000007
【図６】
2005099383.tif 000008
【図７】
2005099383.tif 000009